(57)【要約】【課題】システムの運用中に物品の読取り条件を変更したい場合や、紙で構成される物品の内容などに応じて物品の読取り条件を変更したい場合などに柔軟に対応することができる真偽判定システムを提供すること。【解決手段】識別コード生成装置１０は、指定された読取り条件に基づいて紙紋読取装置９で読取った物品の表面の組成状態から原本データを取得し、取得された原本データと共に読取り条件を設定した識別コードを生成し、生成された識別コードをプリンタ８に印刷させ、真偽判定装置２０は、判定対象となる物品に印刷されている識別コードから原本データおよび読取り条件を識別コード読取装置６に読取らせ、紙紋読取装置７が読取り条件で読取った判定対象となる物品の表面の組成状態から判定対象データを取得し、取得された原本データと、取得された判定対象データとを用いて判定対象となる物品の真偽を判定するように構成する。【選択図】図１
2008129627.tif 000002
【特許請求の範囲】
【請求項１】
指定された読取り条件で読取った物品の表面の組成状態から原本データを取得する原本データ取得部と、
前記原本データ取得部によって取得された原本データと共に前記読取り条件を設定した識別コードを生成する識別コード生成部と、を備えた識別コード生成装置と、
判定対象となる物品にある前記識別コードから前記原本データおよび前記読取り条件を取得する読取条件取得部と、
前記読取条件取得部によって取得された読取り条件で読取った前記判定対象となる物品の表面の組成状態から判定対象データを取得する判定対象データ取得部と、
前記読取条件取得部によって取得された原本データと前記判定対象データ取得部によって取得された判定対象データとを用いて前記判定対象となる物品の真偽を判定する判定部とを備えた真偽判定装置と、
を有することを特徴とする真偽判定システム。
【請求項２】
前記識別コード生成部は、前記原本データ取得部によって取得された原本データおよび前記読取り条件に加えて、前記判定対象となる物品の真偽を判定するときの判定条件を設定した識別コードを生成し、
前記読取条件取得部は、前記判定対象となる物品にある前記識別コードから原本データ、読取り条件、および判定条件を取得し、
前記判定部は、前記読取条件取得部によって取得された判定条件で、前記原本データと前記判定対象データとを用いて前記判定対象となる物品の真偽を判定することを特徴とする請求項１に記載の真偽判定システム。
【請求項３】
前記判定部は、前記原本データと前記判定対象データとそれぞれの相関値のピークが所定の閾値以上か否かを判定することで前記判定対象となる物品の真偽を判定することを特徴とする請求項２に記載の真偽判定システム。
【請求項４】
前記判定条件は、前記閾値に関する条件であることを特徴とする請求項３に記載の真偽判定システム。
【請求項５】
複数の読取りセンサで前記物品の表面の組成状態から読取る場合、前記読取り条件は、複数の前記読取りセンサのうち１つまたは複数の読取りセンサを指定できる条件であることを特徴とする請求項１に記載の真偽判定システム。
【請求項６】
前記判定条件は、前記複数の読取りセンサを指定した場合において、それぞれの読取りセンサから得られた前記原本データと前記判定対象データとの相関値のピークに基づいて前記判定対象となる物品の真偽を判定する条件であることを特徴とする請求項３に記載の真偽判定システム。
【請求項７】
前記判定条件は、それぞれの読取りセンサから得られた前記原本データと前記判定対象データとの相関値のピークのうち最も大きいピークに基づいて前記判定対象となる物品の真偽を判定する条件であることを特徴とする請求項６に記載の真偽判定システム。
【請求項８】
前記判定条件は、それぞれの読取りセンサから得られた前記原本データと前記判定対象データとの相関値のピークの平均に基づいて前記判定対象となる物品の真偽を判定する条件であることを特徴とする請求項６に記載の真偽判定システム。
【請求項９】
前記読取り条件は、読取る物品の箇所の位置や面積に関する条件であることを特徴とする請求項１に記載の真偽判定システム。
【請求項１０】
指定された読取り条件で読取った物品の表面の組成状態から原本データを取得する原本データ取得部と、
前記原本データ取得部によって取得された原本データと共に前記読取り条件を設定した識別コードを生成する識別コード生成部と、を備えたことを特徴とする識別コード生成装置。
【請求項１１】
指定された読取り条件で読取った物品の表面の組成状態から得られる原本データと共に前記読取り条件を設定した識別コードを扱う真偽判定装置であって、
判定対象となる物品にある前記識別コードから前記原本データおよび前記読取り条件を取得する読取条件取得部と、
前記読取条件取得部によって取得された読取り条件で読取った前記判定対象となる物品の表面の組成状態から判定対象データを取得する判定対象データ取得部と、
前記読取条件取得部によって取得された原本データと前記判定対象データ取得部によって取得された判定対象データとを用いて前記判定対象となる物品の真偽を判定する判定部とを備えたことを特徴とする真偽判定装置。
【請求項１２】
識別コードを生成する識別コード生成装置と物品の真偽を判定する真偽判定装置とを制御する真偽判定方法であって、
前記識別コード生成装置が、指定された読取り条件で読取った物品の表面の組成状態から原本データを取得する原本データ取得ステップと、
前記識別コード生成装置が、前記原本データ取得ステップで取得された原本データと共に前記読取り条件を設定した識別コードを生成するステップと、
前記真偽判定装置が、判定対象となる物品にある前記識別コードから前記原本データおよび前記読取り条件を取得する読取条件取得ステップと、
前記真偽判定装置が、前記読取条件取得ステップで取得された読取り条件で読取った前記判定対象となる物品の表面の組成状態から判定対象データを取得する判定対象データ取得ステップと、
前記真偽判定装置が、前記読取条件取得ステップで取得された原本データと前記判定対象データ取得ステップで取得された判定対象データとを用いて前記判定対象となる物品の真偽を判定するステップとを備えたことを特徴とする真偽判定方法。
【請求項１３】
請求項１２に記載の真偽判定方法の各ステップをコンピュータに実行させることを特徴とするプログラム。
【請求項１４】
請求項１２に記載の真偽判定方法の各ステップをコンピュータに実行させるためのプログラムを記憶したコンピュータ読取り可能な記録媒体。
【発明の詳細な説明】
【技術分野】
【０００１】
本発明は、読取り対象物の真偽を判定する真偽判定システムに関する。
【背景技術】
【０００２】
近年、紙の表面の中で任意の箇所の繊維の組成状態（以下、紙紋という。）が、他の箇所または他の紙と全く同じ紙紋をもつ可能性は非常に低いため、この紙紋を利用して、紙で構成される物品が本物か偽物かを判定する真偽判定装置が開発されている。紙で構成される物品から紙紋を読取る技術としては、スポット状のレーザ光を紙の表面に照射すると共に紙を掃引して、散乱する光を４つの近接するフォトダイオードで検出しながら紙紋を読取る技術が知られている（例えば、特許文献１参照）。
【０００３】
また、紙紋の真偽を判定する真偽判定装置を利用して、転売目的で持ち込まれた書籍の真偽を検証するための真偽判定システムとしては、書籍に付されているＩＳＢＮ等の識別コードと共に、書籍の所定ページの所定領域の紙紋を予め登録する登録装置を有しており、書籍が顧客から持ち込まれた場合に、持ち込まれた書籍のＩＳＢＮ等の識別コードをバーコードリーダで読取り、さらに、指定された書籍のページの所定領域の紙紋をスキャナで読取り、読取った識別コードおよび紙紋を、登録装置に登録されているものと照合して書籍の真贋を検証する照合装置を備えたものが知られている（例えば、特許文献２参照）。
【０００４】
なお、特許文献２に開示されている真偽判定システムでは、例えば、登録装置に登録する際に読取った紙紋と、持ち込まれたときに読取った紙紋とは、同じデータ形式で統一しておく必要があり、真偽判定システムを運用する前に、紙紋のデータ形式などの紙の読取り条件などを予め決めておく。
【特許文献１】国際公開第２００５／０８８５３３号パンフレット
【特許文献２】特開２００６−１７１９００号公報
【発明の開示】
【発明が解決しようとする課題】
【０００５】
しかしながら、従来の真偽判定システムでは、運用前に紙紋のデータ形式などを予め決めているため、運用中に紙の読取り条件を変更したい場合や、紙で構成される物品の重要度などに応じて紙紋の読取り条件を変更したい場合などに柔軟に対応することができないという課題が残されていた。
【０００６】
そこで、本発明は、システムの運用中に物品の読取り条件を変更したい場合や、紙で構成される物品の内容などに応じて物品の読取り条件を変更したい場合などに柔軟に対応することができる真偽判定システムを提供することを目的とする。
【課題を解決するための手段】
【０００７】
本発明の真偽判定システムは、指定された読取り条件で読取った物品の表面の組成状態から原本データを取得する原本データ取得部と、前記原本データ取得部によって取得された原本データと共に前記読取り条件を設定した識別コードを生成する識別コード生成部と、を備えた識別コード生成装置と、判定対象となる物品にある前記識別コードから前記原本データおよび前記読取り条件を取得する読取条件取得部と、前記読取条件取得部によって取得された読取り条件で読取った前記判定対象となる物品の表面の組成状態から判定対象データを取得する判定対象データ取得部と、前記読取条件取得部によって取得された原本データと前記判定対象データ取得部によって取得された判定対象データとを用いて前記判定対象となる物品の真偽を判定する判定部とを備えた真偽判定装置と、を有する構成を有している。
この構成により、判定対象となる物品にある識別コードから原本データおよび読取り条件を取得し、取得された読取り条件で読取った判定対象となる物品の表面の組成状態から判定対象データを取得し、原本データと判定対象データとを用いて判定対象となる物品の真偽を判定するため、システムの運用中に物品の読取り条件を変更したい場合や、紙で構成される物品の内容などに応じて物品の読取り条件を変更したい場合などに柔軟に対応することができる。
【０００８】
また、本発明の真偽判定システムは、前記判定部が、前記原本データと前記判定対象データとそれぞれの相関値のピークが所定の閾値以上か否かを判定することで前記判定対象となる物品の真偽を判定する備えた構成を有している。
この構成により、真偽の判定を容易にし、真偽の判定の精度を高めることができる。
【０００９】
また、本発明の真偽判定システムは、前記判定部が、前記原本データと前記判定対象データとそれぞれの相関値のピークが所定の閾値以上か否かを判定することで前記判定対象となる物品の真偽を判定する備えた構成を有している。
この構成により、読取り条件に加えて判定条件を変更したい場合などに柔軟に対応することができる。
【００１０】
また、本発明の真偽判定システムは、前記判定条件が、前記閾値に関する条件である構成を有している。
この構成により、判定対象となる物品の真偽を判定する際に判定条件を柔軟に変更することができる。
【００１１】
また、本発明の真偽判定システムは、複数の読取りセンサで前記物品の表面の組成状態から読取る場合、前記読取り条件は、複数の前記読取りセンサのうち１つまたは複数の読取りセンサを指定できる条件である構成を有している。
この構成により、読取りセンサに関わる物品の読取り条件を柔軟に変更することができる。
【００１２】
また、本発明の真偽判定システムは、前記判定条件が、前記複数の読取りセンサを指定した場合において、それぞれの読取りセンサから得られた前記原本データと前記判定対象データとの相関値のピークに基づいて前記判定対象となる物品の真偽を判定する条件である構成を有している。
この構成により、判定対象となる物品の真偽を判定する際に判定条件を柔軟に変更することができる。
【００１３】
また、本発明の真偽判定システムは、前記判定条件が、それぞれの読取りセンサから得られた前記原本データと前記判定対象データとの相関値のピークのうち最も大きいピークに基づいて前記判定対象となる物品の真偽を判定する条件である構成を有している。
この構成により、判定対象となる物品の真偽を判定する際に判定条件を柔軟に変更することができる。
【００１４】
また、本発明の真偽判定システムは、前記判定条件が、それぞれの読取りセンサから得られた前記原本データと前記判定対象データとの相関値のピークの平均に基づいて前記判定対象となる物品の真偽を判定する条件である構成を有している。
この構成により、判定対象となる物品の真偽を判定する際に判定条件を柔軟に変更することができる。
【００１５】
また、本発明の真偽判定システムは、前記読取り条件が、読取る物品の箇所の位置や面積に関する条件である構成を有している。
この構成により、読取る物品の箇所の位置や面積に関する読取り条件を柔軟に変更することができる。
【発明の効果】
【００１６】
以上のように本発明は、システムの運用中に物品の読取り条件を変更したい場合や、紙で構成される物品の内容などに応じて物品の読取り条件を変更したい場合などに柔軟に対応することができる真偽判定システムを提供するものである。
【発明を実施するための最良の形態】
【００１７】
以下、本発明の実施の形態について、図面を参照して説明する。なお、本発明に係る原本データは、物品の表面の組成状態から得られるデータであるが、本発明の実施の形態に係る真偽判定システムでは、原本データの対象を、紙で構成された処方箋から得られる紙紋を表すデータとし、処方箋が正しいものか否かを検証するための処方箋検証システムを例にとって説明している。
【００１８】
また、本発明では処方箋に限定されず、株券のような有価証券など紙で構成された物品でもよい。以下に説明する処方箋検証システムでは、処方箋を紙として適用しているが、本発明に係る真偽判定システムでは、紙、プラスチック等の物品を適用することができる。
【００１９】
図１は、本発明の実施の形態に係る処方箋検証システムの構成図の一例である。本発明の実施の形態に係る処方箋検証システムは、病院側のシステムと薬局側のシステムからなる。
【００２０】
病院側のシステムには、処方箋の特定箇所にある紙紋を読取る紙紋読取装置９、紙紋データなどの表す識別コードを生成する識別コード生成装置１０、および、識別コードを印刷するプリンタ８が備えられている。識別コード生成装置１０は、例えば、ＣＰＵやメモリを備えたパソコン等のコンピュータで構成されてもよく、本発明の実施の形態ではパソコンとする。
【００２１】
なお、本発明の実施の形態では、識別コードをＱＲコードとして説明するが、もちろん識別コードはＱＲコードに限定されず、バーコードなど如何なる識別コードでもよい。
【００２２】
紙紋読取装置９について詳細に説明すれば、紙紋読取装置９は、紙を組成する繊維の絡み具合を表す紙紋を読み込むようになっており、図２（ａ）に示すように、紙紋読取装置９の紙紋読込部分は、レーザダイオード９２、シリンドリカルレンズ９３ａ、９３ｂ、および読取りセンサとなるフォトダイオード９４ａ乃至９４ｄによって構成されている。以下、レーザダイオードを単に「ＬＤ」と記載し、フォトダイオードを単に「ＰＤ」と記載する。
【００２３】
ＬＤ９２は、図示しない掃引機構によって掃引される紙９１の表面にレーザ光を照射するようになっている。また、ＬＤ９２は、紙９１の紙紋が読取れる程度の波長、例えば６３５ｎｍのレーザ光を照射するようになっている。
【００２４】
シリンドリカルレンズ９３ａ、９３ｂは、ＬＤ９２がレーザ光を紙９１に照射しているとき、紙９１の表面における照射形状を図２（ｂ）に示すように、例えば長さ７ｍｍのスポット状に変化させるようになっている。
【００２５】
ＰＤ９４ａ乃至９４ｄは、紙９１の表面でレーザ光が散乱された散乱光を受光するようになっており、紙９１の表面におけるレーザ光の照射面の中心を受光軸が通るよう、互いに異なる位置でＬＤ９２に対して固定に設けられている。例えば、紙を４０ｍｍ程度掃引しながら、ＰＤ９４ａ乃至９４ｄが、散乱光を検出して紙紋を読取るようになっている。
【００２６】
各ＰＤ９４で検出された散乱光は、Ａ／Ｄ変換器でデジタル信号（以下、紙紋データという。）に変換され、変換された紙紋データは、光の強度を表している。例えば、紙を４０ｍｍ掃引して得られた信号から１０００個の標本（サンプル）が抽出され、１０００個の標本それぞれに対応する光の強度を表した紙紋データに変換される。
【００２７】
また、病院スタッフが、紙紋読取装置９の読取り条件を指定するようになっている。例えば、病院スタッフは、図３に示したように、識別コード生成装置１０の画面に表示される設定ウインドウに従って読取り条件を指定する。
【００２８】
病院側では、読取り条件として、各ＰＤ９４で得られた紙紋データのうち特定の１つを指定し、指定したＰＤ９４で得られた紙紋データを原本データとして指定してもよい。さらに、読取り条件としては、読取る用紙の箇所の位置や面積などの条件などがあってもよい。
【００２９】
また、読取り条件として、４つのＰＤ９４を指定した場合には、ＰＤ９４で得られた紙紋データが４つあるため、後述する真偽判定装置２０が複数の紙紋データ用いて処方箋の真偽を判定するときの判定条件や、判定用の閾値に関わる判定条件がある。判定条件については後述する。
【００３０】
また、読取り条件として紙紋データの精度は、１つの標本に対して１ビット（０、１の２段階）で表現されてもよいし、例えば８ビット（０〜２５５までの２５６段階）で表現されてもよい。
【００３１】
また、病院スタッフは、例えば、図４に示したように、識別コード生成装置１０の画面に表示される設定ウインドウに従って処方箋を作成するようになっている。最初に、病院スタッフは、処方箋の用紙を紙紋読取装置９にセットして「ＱＲコード付与」ボタンをマウスでクリックすれば、紙紋読取装置９は、図３に示した設定ウインドウに従って設定した読取り条件で処方箋の用紙の特定箇所を読取り、識別コード生成装置１０は、特定箇所が読取られたときの紙紋データを取得し、取得した紙紋データと共に読取り条件を設定したＱＲコードを生成するようになっている。
【００３２】
次に、病院スタッフは、図４に示した設定ウインドウに従って、氏名や薬およびその個数などを入力し、紙紋読取装置９で読取った処方箋をプリンタ８にセットし、図４に示した設定ウインドウの「印刷」ボタンをマウスでクリックすれば、プリンタ８は、ＱＲコードと処方箋の内容とを処方箋の用紙に印刷するようになっている。
【００３３】
この時、ＱＲコードは、処方箋の用紙に印刷されるのが望ましいが、ＱＲコードだけ別途シールに印刷し、病院スタッフがＱＲコードのシールを処方箋に貼り付けるようにしても構わない。
【００３４】
病院スタッフは、ＱＲコードが印刷された処方箋を患者に渡し、処方箋を受け取った患者は、薬局に処方箋を持っていく。
【００３５】
図１に示したように薬局側のシステムには、Ｗｅｂカメラなどの識別コード読取装置６、紙紋読取装置９と同様の構成を有する紙紋読取装置７、および、処方箋の真偽を判定する真偽判定装置２０が備えられている。また、真偽判定装置２０は、例えば、ＣＰＵやメモリを備えたパソコン等のコンピュータで構成されてもよく、本発明の実施の形態ではパソコンとする。
【００３６】
まず、薬局スタッフは、患者が持ってきた処方箋に印刷されているＱＲコードを識別コード読取装置６で読取る。例えば、パソコン等の真偽判定装置２０には、図５に示した操作ウインドウが表示されており、薬局スタッフは、「ＱＲコード読取り」ボタンをマウスでクリックすることでＷｅｂカメラなどの識別コード読取装置６にＱＲコードを読取らせる。
【００３７】
次に、真偽判定装置２０は、識別コード読取装置６で読取ったＱＲコードから紙紋データおよび読取り条件を取得し、取得した紙紋データおよび読取り条件をメモリに記憶する。
【００３８】
次に、薬局スタッフは、ＱＲコードから取得した紙紋データと、処方箋の用紙の特定箇所を読取って得た紙紋データとを用いて処方箋の真偽を真偽判定装置２０に判定させる。
【００３９】
例えば、薬局スタッフは、紙紋読取装置７に処方箋をセットし、図５に示した操作ウインドウの「紙紋判定」ボタンをマウスでクリックすることで処方箋の特定箇所にある紙紋を紙紋読取装置７に読取らせる。真偽判定装置２０は、ＱＲコードから取得した紙紋データと、読取って得た紙紋データとを用いて処方箋の真偽を判定する。
【００４０】
真偽判定装置２０は、処方箋の真偽を判定した後、図５に示したような判定結果を操作ウインドウに表示する。以上が、本発明の実施の形態に係る真偽判定システムの概要である。続いて、本発明の実施の形態に係る識別コード生成装置および真偽判定装置の構成について説明する。
【００４１】
図６は、本発明の実施の形態に係る識別コード生成装置のブロック図である。図６に示すように、識別コード生成装置１０は、ユーザインタフェース部１１、制御部１２、原本データ取得部１３、識別コード生成部１４、および印刷部１５によって構成されている。
【００４２】
なお、ユーザインタフェース部１１、制御部１２、原本データ取得部１３、識別コード生成部１４、および印刷部１５は、識別コード生成装置１０のＣＰＵ（Central Processing Unit）によって実行されるプログラムのモジュールでもよい。
【００４３】
ユーザインタフェース部１１は、図３および図４に示した設定ウインドウを介してユーザによって入力された情報を受付けるようになっている。
【００４４】
制御部１２は、ユーザインタフェース部１１、原本データ取得部１３、または識別コード生成部１４などを制御し、ユーザインタフェース部１１から出力されたユーザの入力した情報を原本データ取得部１３、識別コード生成部１４、または印刷部１５に出力するようになっている。
【００４５】
原本データ取得部１３は、制御部１２から出力された読取り条件で、処方箋の用紙の表面の組成状態から紙紋データを紙紋読取装置９に読取らせ、読取らせた紙紋データを原本データとして取得するようになっている。
【００４６】
識別コード生成部１４は、原本データ取得部１３によって取得された紙紋データと共に読取り条件を設定したＱＲコードを生成するようになっており、さらに、ユーザインタフェース部１１を介して判定条件が入力されている場合には、紙紋データおよび読取り条件に加えて判定条件を設定したＱＲコードを生成するようになっている。
【００４７】
印刷部１５は、識別コード生成部１４によって生成されたＱＲコードや図４に示した設定ウインドウに従って入力された処方箋の内容をプリンタ８に印刷させるようになっている。
【００４８】
図７は、本発明の実施の形態に係る真偽判定装置のブロック図である。図７に示すように、真偽判定装置２０は、ユーザインタフェース部２１、制御部２２、読取条件取得部２３、判定対象データ取得部２４、および判定部２５によって構成されている。
【００４９】
なお、ユーザインタフェース部２１、制御部２２、読取条件取得部２３、判定対象データ取得部２４、および判定部２５は、真偽判定装置２０のＣＰＵによって実行されるプログラムのモジュールでもよい。
【００５０】
ユーザインタフェース部２１は、図５に示した操作ウインドウを介してユーザの操作を受付けるようになっている。
【００５１】
制御部２２は、ユーザインタフェース部２１、読取条件取得部２３、判定対象データ取得部２４、および判定部２５などを制御し、ユーザインタフェース部２１から出力されたユーザの操作を読取条件取得部２３に指示するようになっている。
【００５２】
読取条件取得部２３は、処方箋に印刷されているＱＲコードから、判定対象となる紙紋データおよび読取り条件をＷｅｂカメラなどの識別コード読取装置６に読取らせ、紙紋データおよび読取り条件を取得するようになっている。
【００５３】
なお、ＱＲコードの大きさおよび印刷位置に関しては、識別コード読取装置６がＱＲコードを読取ることができる範囲内であることが要件であり、例えば、識別コード読取装置６は、処方箋の表面からからおよそ９０ｍｍの高さ、処方箋の左端と下端からそれぞれおよそ４０ｍｍにレンズの中心がくるように設置される。
【００５４】
判定対象データ取得部２４は、読取条件取得部２３によって取得された読取り条件で紙紋読取装置７に処方箋の表面を読取らせ、読取った処方箋の表面の組成状態から判定対象データとなる紙紋データを取得するようになっている。従って、紙紋読取装置９が処方箋の表面を読取った条件と同じ条件で、紙紋読取装置７は処方箋の表面を読取ることになる。
【００５５】
判定部２５は、読取条件取得部２３によって取得された紙紋データと、判定対象データ取得部２４によって取得された判定対象データとなる紙紋データとを用いて、判定対象となる処方箋の真偽を判定するようになっている。
【００５６】
例えば、互いの紙紋データで処方箋の真偽を判定する方法には、互いの紙紋データの相関値を用いて判定する方法がある。例えば、紙紋データの標本の数がｎ個であった場合、読取条件取得部２３によって取得された紙紋データをＯｎ、判定対象データ取得部２４によって取得された判定対象データとなる紙紋データをＴｎとして表せば、基準データと被判定データとのｎ個分のシフト相関値を、例えば次の式で求める。
Ｏ１×Ｔ１＋Ｏ２×Ｔ２＋Ｏ３×Ｔ３＋・・・＋Ｏｎ×Ｔｎ＝相関値
Ｏ２×Ｔ１＋Ｏ３×Ｔ２＋Ｏ４×Ｔ３＋・・・＋Ｏ１×Ｔｎ＝相関値
：            ：
Ｏｎ×Ｔ１＋Ｏ１×Ｔ２＋Ｏ２×Ｔ３＋・・・＋Ｏｎ−１×Ｔｎ＝相関値
【００５７】
判定部２５は、上記のｎ個の相関値のうち鋭いピーク（他の値と突出した値）を検出した場合、ピークが所定の閾値以上か否かを判定することで判定対象となる処方箋の真偽を判定するようになっている。
【００５８】
また、ＱＲコードから読取ったときに閾値に関わる判定条件があれば、判定部２５は、算出した相関値のピークがこの判定条件の閾値以上か否かを判定することで判定対象となる処方箋の真偽を判定するようにしてもよい。なお、閾値に関わる判定条件は、図３の設定ウインドウで入力できるようにしてもよい。
【００５９】
ＱＲコードから読取ったときに複数の紙紋データ用いて処方箋の真偽を判定するときの判定条件がある場合がある。
【００６０】
例えば、図３に示すように、判定条件としては、識別コード生成装置１０のＰＤ９４ａおよび真偽判定装置２０のＰＤ９４ａ、すなわちＰＤ９４ａ同士から得られたシフト相関値、さらにＰＤ９４ｂ同士、ＰＤ９４ｃ同士、ＰＤ９４ｄ同士から得られたシフト相関値のピークのうち最大のピークや２番目に大きいピークが閾値以上か否かを判定する場合がある。さらに、判定条件としては、シフト相関値のピークの平均化したものが閾値以上か否かを判定する場合がある。
【００６１】
以上のように構成された識別コード生成装置１０および真偽判定装置２０の動作について図面を用いて以下に説明する。
【００６２】
図８は、識別コード生成装置１０のプログラムのシーケンス図である。なお、便宜上、ユーザインタフェース部１１は、省略されており、制御部１２にまとめられている。
【００６３】
まず、病院スタッフは、識別コード生成装置１０を使用し、図３に示した設定ウインドウに従って読取り条件を予め指定しておく。もちろん、読取り条件と共に判定条件を指定するようにしてもよい。例えば、読取り条件や判定条件の指定は、紙で構成される物品の内容などに応じて変更される。指定された読取り条件や判定条件は、制御部１２を介して原本データ取得部１３に登録される。
【００６４】
病院スタッフが、処方箋を作成する際に処方箋の用紙を紙紋読取装置９にセットした後、図４に示した設定ウインドウの「ＱＲコード付与」ボタンをマウスでクリックすることで、制御部１２は、紙紋データを原本データ取得部１３に取得させる。このとき、原本データ取得部１３は、図３に示した設定ウインドウに従って指定された読取り条件で紙紋データを読取るよう紙紋読取装置９に指示する。
【００６５】
紙紋データが取得された後、識別コード生成部１４は、原本データ取得部１３によって取得された紙紋データと共に読取り条件を設定したＱＲコードを生成する。なお、識別コード生成部１４は、判定条件がある場合には、判定条件を設定したＱＲコードを生成する。
【００６６】
ＱＲコードが生成された後、制御部１２は、ユーザインタフェース部１１を介してＱＲコードを含む処方箋の印刷イメージが図４に示したように表示される。
【００６７】
病院スタッフが、処方箋を印刷する際に処方箋の用紙をプリンタ８にセットした後、図４に示した設定ウインドウの「印刷」ボタンをマウスでクリックすることで、制御部１２は、図４に示した入力の内容とＱＲコードを処方箋の用紙に印刷するよう印刷部１５に指示する。印刷部１５は、入力の内容とＱＲコードをプリンタ８に印刷させる。
【００６８】
ここで、病院スタッフは、ＱＲコードが印刷された処方箋を患者に渡し、患者は、この処方箋を薬局に持っていく。以下は、真偽判定装置２０の動作について説明する。
【００６９】
図９は、真偽判定装置２０のプログラムのシーケンス図である。なお、便宜上、ユーザインタフェース部２１は、省略されており、制御部２２にまとめられている。
【００７０】
まず、薬局スタッフは、ＱＲコードが印刷された処方箋の用紙を紙紋読取装置７にセットした後、図５に示した操作ウインドウの「ＱＲコード読取り」ボタンをマウスでクリックすることで、制御部２２は、ＱＲコードから読取り条件や紙紋データを取得するように読取条件取得部２３に指示する。
【００７１】
次に、読取条件取得部２３は、処方箋に印刷されているＱＲコードから紙紋データおよび読取り条件を、Ｗｅｂカメラなどの識別コード読取装置６に読取らせ、紙紋データおよび読取り条件を取得する。
【００７２】
読取条件取得部２３は、取得した読取り条件を判定対象データ取得部２４に出力すると共に、取得した判定対象となる紙紋データを判定部２５に出力する。
【００７３】
次に、薬局スタッフは、図５に示した操作ウインドウの「紙紋判定」ボタンをマウスでクリックすることで、制御部２２は、紙紋読取装置７にセットした処方箋の用紙から紙紋データを取得するように判定対象データ取得部２４に指示する。判定対象データ取得部２４は、処方箋の用紙から紙紋データを紙紋読取装置７に読取らせ、紙紋データを取得する。
【００７４】
判定部２５は、読取条件取得部２３によって取得された紙紋データと、判定対象データ取得部２４によって取得された判定対象データとなる紙紋データとを用いて、判定対象となる処方箋の真偽を判定する。また、ＱＲコードから読取ったときに判定条件があれば、判定部２５は、算出した相関値がこの判定条件の閾値以上か否かを判定することで処方箋の真偽を判定する。
【００７５】
制御部２２は、判定部２５が判定したときの判定結果を図５に示したように表示する。
【００７６】
以上説明したように、本発明の実施の形態に係る処方箋検証システムは、真偽判定装置２０が、識別コード生成装置１０によって判定対象となる処方箋に印刷されたＱＲコードから紙紋データおよび読取り条件を取得し、取得された読取り条件で読取った判定対象となる紙紋データを取得し、ＱＲコードからの紙紋データと判定対象となる紙紋データとを用いて判定対象となる物品の真偽を判定するため、システムの運用中に処方箋の読取り条件を変更したい場合や、処方箋の内容などに応じて処方箋の読取り条件を変更したい場合などに柔軟に対応することができる。
【００７７】
なお、図４に示した設定ウインドウは、「ＱＲコード付与」および「印刷」の２つのボタンで構成しているが、１つのボタンにまとめてもよい。同様に、図５に示した操作ウインドウも、「ＱＲコード読取り」および「紙紋判定」の２つのボタンで構成しているが、１つのボタンにまとめてもよい。
【図面の簡単な説明】
【００７８】
【図１】本発明の実施の形態に係る処方箋検証システムの構成図
【図２】本発明の実施の形態に係る紙紋読込部の断面図
【図３】読取り条件を指定するための設定ウインドウを示す図
【図４】処方箋を作成するための設定ウインドウを示す図
【図５】本発明の実施の形態に係る真偽判定装置の操作ウインドウを示す図
【図６】本発明の実施の形態に係る識別コード生成装置のブロック図
【図７】本発明の実施の形態に係る真偽判定装置のブロック図
【図８】本発明の実施の形態に係る識別コード生成装置のプログラムのシーケンス図
【図９】本発明の実施の形態に係る真偽判定装置のプログラムのシーケンス図
【符号の説明】
【００７９】
６  識別コード読取装置
７、９  紙紋読取装置
８  プリンタ
１０  識別コード生成装置
１１、２１  ユーザインタフェース部
１２、２２  制御部
１３  原本データ取得部
１４  識別コード生成部
１５  印刷部
２０  真偽判定装置
２３  読取条件取得部
２４  判定対象データ取得部
２５  判定部
９１  紙
９２  レーザダイオード
９３  シリンドリカルレンズ
９４  フォトダイオード
【図６】
2008129627.tif 000003
【図７】
2008129627.tif 000004
【図８】
2008129627.tif 000005
【図９】
2008129627.tif 000006
【図１】
2008129627.tif 000007
【図２】
2008129627.tif 000008
【図３】
2008129627.tif 000009
【図４】
2008129627.tif 000010
【図５】
2008129627.tif 000011